(57)【要約】【課題】任意の歯底部でアタッチメントの搬送用歯付ベルトへの取り付け、取り外しが簡単にでき、また、搬送に支障を生じるおそれのないアタッチメントを取り付ける搬送用歯付ベルトを提供する。【解決手段】取付ねじ４を用いてアタッチメント２を取り付ける搬送用歯付ベルト１において、搬送用歯付ベルト１の歯底部１ｂでかつ搬送用歯付ベルト１の心線１ｃが埋設されていない部分１ｄに取付ねじ用貫通孔１ｅを設けたものである。【選択図】図１
2005075488.tif 000002
【特許請求の範囲】
【請求項１】
取付ねじを用いてアタッチメントを取り付ける搬送用歯付ベルトにおいて、
該搬送用歯付ベルトの歯底部に取付ねじ用貫通孔を設けたことを特徴とするアタッチメントを取り付ける搬送用歯付ベルト。
【請求項２】
取付ねじを用いてアタッチメントを取り付ける搬送用歯付ベルトにおいて、
該搬送用歯付ベルトの歯底部に有底孔を設けたことを特徴とするアタッチメントを取り付ける搬送用歯付ベルト。
【請求項３】
取付ねじを用いてアタッチメントを取り付ける搬送用歯付ベルトにおいて、
該搬送用歯付ベルトの歯底部に段付有底孔を設けたことを特徴とするアタッチメントを取り付ける搬送用歯付ベルト。
【請求項４】
前記取付ねじ用貫通孔、前記有底孔または前記段付有底孔を前記搬送用歯付ベルトの心線が埋設されていない部分に設けたことを特徴とする請求項１乃至３のいずれかに記載のアタッチメントを取り付ける搬送用歯付ベルト。
【発明の詳細な説明】
【技術分野】
【０００１】
本発明は、取付ねじを用いてアタッチメントを取り付ける搬送用歯付ベルトに関するものである。
【背景技術】
【０００２】
従来、アタッチメントを取り付けた搬送用歯付ベルトとして、ポリウレタン等の可撓性を有する材料で成形加工された搬送用歯付ベルトの背面すなわち物品を搬送する搬送面にアタッチメントを所定の間隔で熱溶着により取り付けたものが知られている。
【０００３】
また、アタッチメント付歯付ベルトとして、歯付ベルトの歯部において締結ボルトを介してアタッチメントを取り付けたものがある（例えば、特許文献１参照）。
【０００４】
【特許文献１】特開平１０−１０９７２９号公報
【発明の開示】
【発明が解決しようとする課題】
【０００５】
しかし、上記したアタッチメントを所定の間隔で熱溶着により取り付けた搬送用歯付ベルトは、次のような問題点があった。アタッチメントの搬送用歯付ベルトへの取り付けには、専用の溶着機が必要なため、アタッチメントの搬送用歯付ベルトへの取り付けはユーザ側では困難である。また、アタッチメントを搬送用歯付ベルトの背面へ熱溶着により取り付けているため、一度アタッチメントを取り付けると、それ以降のアタッチメントの取付位置の変更や取り外しができない。さらに、アタッチメントを搬送用歯付ベルトの背面へ熱溶着により取り付けているため、アタッチメントの材質が熱溶着可能なものに限定される。
【０００６】
また、上記特開平１０−１０９７２９号公報に開示されたアタッチメント付歯付ベルトは、歯付ベルトの背面に物品を載せて搬送する場合、物品の重量を支えるガイドと歯付ベルトの歯先面が摺動する。この際、上記のアタッチメント付歯付ベルトは、歯付ベルトの歯部において締結ボルトを介してアタッチメントを取り付けているため、ガイドと歯付ベルトの歯先面の摺動により歯付ベルトの歯先面が摩耗すると締結ボルトの頭部がガイドとこすれて、ガイドの異常摩耗、異音等が発生し、正常な搬送ができないおそれがある、という問題点がある。
【０００７】
そこで、本発明は、前記問題点を解決し、任意の歯底部でアタッチメントの搬送用歯付ベルトへの取り付け、取り外しが簡単にでき、また、搬送に支障を生じるおそれのないアタッチメントを取り付ける搬送用歯付ベルトを提供することを課題とするものである。
【課題を解決するための手段】
【０００８】
請求項１記載の発明は、前記問題点を解決するために、取付ねじを用いてアタッチメントを取り付ける搬送用歯付ベルトにおいて、該搬送用歯付ベルトの歯底部に取付ねじ用貫通孔を設けたものである。
【０００９】
請求項２記載の発明は、前記問題点を解決するために、取付ねじを用いてアタッチメントを取り付ける搬送用歯付ベルトにおいて、該搬送用歯付ベルトの歯底部に有底孔を設けたものである。
【００１０】
請求項３記載の発明は、前記問題点を解決するために、取付ねじを用いてアタッチメントを取り付ける搬送用歯付ベルトにおいて、該搬送用歯付ベルトの歯底部に段付有底孔を設けたものである。
【００１１】
請求項４記載の発明は、前記問題点を解決するために、請求項１乃至３のいずれかに記載のアタッチメントを取り付ける搬送用歯付ベルトにおいて、前記取付ねじ用貫通孔、前記有底孔または前記段付有底孔を前記搬送用歯付ベルトの心線が埋設されていない部分に設けたものである。
【発明の効果】
【００１２】
請求項１記載の発明によれば、搬送用歯付ベルトの歯底部に取付ねじ用貫通孔を設けているので、搬送用歯付ベルトのユーザが、専用機械や、専用工具を使用することなく、取付ねじ用貫通孔に取付ねじを挿入してアタッチメントを取り付けることができる。そのため、取り付け・取り外しが簡単にできるとともに、現物合わせができる。また、任意の取付ねじ用貫通孔に取付ねじを挿入してアタッチメントを取り付けることができるので、アタッチメントの取り付け位置を容易に変更できる。さらに、搬送用歯付ベルトの歯底部に取付ねじを挿入して取り付けるので、搬送用歯付ベルトの歯部の歯先が搬送用歯付ベルトを支持するガイド等と摺動して摩耗しても、取付ねじの頭部がガイドとこすれることはない。したがって、ガイドの異常摩耗、異音等の発生を防止でき、搬送に支障を生じるおそれはない。
【００１３】
請求項２記載の発明によれば、搬送用歯付ベルトの歯底部に有底孔を設けているので、搬送用歯付ベルトのユーザが有底孔の底部にキリ等の簡単な工具で孔をあけ、搬送用歯付ベルトの背面まで貫通する貫通孔を形成することが簡単にできる。そして、この形成された貫通孔に取付ねじを挿入し、搬送用歯付ベルトにアタッチメントを取り付ける。そして、任意の有底孔を貫通孔とすることにより任意の位置にアタッチメントを取り付けることができる。
【００１４】
請求項３記載の発明によれば、搬送用歯付ベルトの歯底部に段付有底孔を設けているので、搬送用歯付ベルトのユーザが段付有底孔の底部にキリ等の簡単な工具で孔をあけ、搬送用歯付ベルトの背面まで貫通する貫通孔を形成することが簡単にできる。そして、この形成された貫通孔に取付ねじを挿入し、搬送用歯付ベルトにアタッチメントを取り付ける。そして、任意の段付有底孔を貫通孔とすることにより任意の位置にアタッチメントを取り付けることができる。また、段付有底孔の大径部内に取付ねじの頭部が収容されており、搬送用歯付ベルト２１の歯底部２１ｂの歯底面より取付ねじの頭部は突出していない。そのため、フランジ付歯付プーリの歯部と取付ねじの頭部が干渉するおそれはなく、通常のフランジ付歯付プーリを使用することができる。
【００１５】
請求項４記載の発明によれば、前記取付ねじ用貫通孔、前記有底孔または前記段付有底孔を前記搬送用歯付ベルトの心線が埋設されていない部分に設けたので、心線がこれらの孔あけ加工の障害になることがなく、したがって、前記取付ねじ用貫通孔、前記有底孔または前記段付有底孔を容易に形成できる。
【発明を実施するための最良の形態】
【００１６】
本発明のアタッチメントを取り付ける搬送用歯付ベルトは、取付ねじ用貫通孔、または取付ねじ用貫通孔を形成するための有底孔あるいは段付有底孔を搬送用歯付ベルトの歯底部に設けたもので、以下に本発明の各実施例を説明する。
【実施例１】
【００１７】
本発明の実施例１の搬送用歯付ベルトについて説明する。図１は本発明の実施例１の搬送用歯付ベルトにアタッチメントを取り付けた状態の一部を示す斜視図である。図２は図１に示す搬送用歯付ベルトがフランジ付歯付プーリと噛み合う状態を示す図３のＸ−Ｘ線断面図である。図３は図２のＹ−Ｙ線断面図である。
【００１８】
図１に示す搬送用歯付ベルト１は、ゴムまたは熱可塑性樹脂例えばポリウレタン等の可撓性を有する材料で成形加工されて形成される。そして、搬送用歯付ベルト１にはその内側に幅方向に沿って歯部１ａと歯底部１ｂが交互に一定のピッチで形成されている。
【００１９】
また、搬送用歯付ベルト１には、内部に例えばアラミド、スチール等の心線１ｃが長手方向に沿って埋設されている。そして、搬送用歯付ベルト１には、図１に示すように、心線１ｃが埋設されていない部分１ｄが２箇所長手方向に沿って設けられている。
【００２０】
さらに、搬送用歯付ベルト１には、図１に示すように、歯底部１ｂと心線１ｃが埋設されていない部分１ｄが交差する部分（この実施例１においては２箇所）に、取付ねじ用貫通孔１ｅが形成されている。なお、心線１ｃが埋設されていない部分１ｄの数は、アタッチメント２を取り付ける取付ねじ４の数によって決められる。
【００２１】
図１，２，３に示すように、搬送用歯付ベルト１の背面すなわち物品を搬送する搬送面に物品を搬送するためのアタッチメント２が着脱可能に取り付けられる。アタッチメント２は、図１，２，３に示すように、断面四角形状の細長い直方体であり、その長手方向の長さは搬送用歯付ベルト１の幅寸法と略等しい。ただし、このアタッチメント２の形状は特に限定されるものではない。また、アタッチメント２には上下に貫通する貫通孔２ｅが２個設けられている。さらに、この貫通孔２ｅの上部にはナット３が取り付けられている。また、この貫通孔２ｅおよびナット３は、搬送用歯付ベルト１に形成された取付ねじ用貫通孔１ｅに対応する位置に設けられている。
【００２２】
そこで、搬送用歯付ベルト１にアタッチメント２を取り付けるには、搬送用歯付ベルト１に形成された取付ねじ用貫通孔１ｅに取付ねじ４を挿入し、歯底部１ｂから背面側に貫通させ、さらにアタッチメント２の貫通孔２ｅを通して取付ねじ４のねじ部をナット３にねじ込んで取り付ける。なお、上記のように、この実施例１においては、取付ねじ４のねじ部をナット３にねじ込んでアタッチメント２を取り付けているが、アタッチメント２にねじ穴を設けておき、このねじ穴に取付ねじ４のねじ部をねじ込んで取り付けることも可能であり、さらに、取付ねじとしてタッピングねじを使用し、アタッチメントに固定することも可能である。
【００２３】
アタッチメント２を取り付けた搬送用歯付ベルト１は、図２，３に示すように、フランジ付歯付プーリ５と噛み合った状態で走行する。したがって、フランジ付歯付プーリ５の歯部５ａと取付ねじの頭部４ａの干渉を防止する必要がある。そこで、フランジ付歯付プーリ５の歯部５ａの歯先部分に逃げ溝５ｂを設けている。この実施例１では取付ねじ４を２個使用しているので、取付ねじの頭部４ａの干渉を防止する逃げ溝５ｂも２個設けている。
【００２４】
上記のような構成を有する搬送用歯付ベルト１によれば、搬送用歯付ベルト１の歯底部１ｂに取付ねじ用貫通孔１ｅを設けているので、搬送用歯付ベルト１のユーザが、専用機械や、専用工具を使用することなく、取付ねじ用貫通孔１ｅに取付ねじ４を挿入してアタッチメント２を取り付けることができる。そのため、取り付け・取り外しが簡単にできるとともに、現物合わせができる。また、任意の取付ねじ用貫通孔１ｅに取付ねじ４を挿入してアタッチメント２を取り付けることができるので、アタッチメント２の取り付け位置を容易に変更できる。さらに、搬送用歯付ベルト１の歯底部１ｂに取付ねじ４を挿入して取り付けるので、搬送用歯付ベルト１の歯部１ａの歯先が搬送用歯付ベルト１を支持するガイド等と摺動して摩耗しても、取付ねじの頭部４ａがガイドとこすれることはない。したがって、ガイドの異常摩耗、異音等の発生を防止でき、搬送に支障を生じるおそれはない。
【実施例２】
【００２５】
本発明の実施例２の搬送用歯付ベルトについて説明する。図４は本発明の実施例２の搬送用歯付ベルトを示し、図５のＸ−Ｘ線断面図である。図５は図４に示す搬送用歯付ベルトの平面図である。図６は図５のＹ−Ｙ線断面図である。
【００２６】
図４，５，６に示す搬送用歯付ベルト１１は、ゴムまたは熱可塑性樹脂例えばポリウレタン等の可撓性を有する材料で成形加工されて形成される。そして、搬送用歯付ベルト１１には、図４，５に示すように、その内側に幅方向に沿って歯部１１ａと歯底部１１ｂが交互に一定のピッチで形成されている。
【００２７】
また、搬送用歯付ベルト１１には、図６に示すように、内部に例えばアラミド、スチール等の心線１１ｃが長手方向に沿って埋設されている。そして、搬送用歯付ベルト１１には、図６に示すように、心線１１ｃが埋設されていない部分１１ｄが２箇所長手方向に沿って設けられている。
【００２８】
さらに、搬送用歯付ベルト１１には、図４，５，６に示すように、歯底部１１ｂと心線１１ｃが埋設されていない部分１１ｄが交差する部分（この実施例２においては２箇所）に、有底孔１１ｅが形成されている。なお、心線１１ｃが埋設されていない部分１１ｄの数は、アタッチメントを取り付ける取付ねじの数によって決められる。
【００２９】
そして、有底孔１１ｅは、取付ねじを挿入する貫通孔を形成するための下孔の役割をするもので、搬送用歯付ベルト１１の背面と有底孔１１ｅの底部との間の厚みを薄く形成している。このことにより、後述するように貫通孔の形成を容易にしている。
【００３０】
上記のような構成を有する搬送用歯付ベルト１１にアタッチメントを取り付けるには、まず、有底孔１１ｅの底部にキリ等の簡単な工具で孔をあけ、搬送用歯付ベルト１１の背面まで貫通する貫通孔を形成する。この後は、形成された貫通孔に取付ねじを挿入し、上記実施例１と同様にして、搬送用歯付ベルト１１にアタッチメントを取り付ける。
【００３１】
アタッチメントを取り付けた搬送用歯付ベルト１１も、実施例１の搬送用歯付ベルト１と同様にフランジ付歯付プーリと噛み合った状態で走行する。したがって、フランジ付歯付プーリの歯部と取付ねじの頭部の干渉を防止する必要がある。そこで、図示はしないが、搬送用歯付ベルト１１と噛み合うフランジ付歯付プーリも、図２，３に示すフランジ付歯付プーリと同様に、フランジ付歯付プーリの歯部の歯先部分に取付ねじの頭部の干渉を防止する逃げ溝を設けたものが使用される。
【００３２】
上記のような構成を有する搬送用歯付ベルト１１によれば、搬送用歯付ベルト１１の歯底部１１ｂに有底孔１１ｅを設けているので、搬送用歯付ベルト１１のユーザが有底孔１１ｅの底部にキリ等の簡単な工具で孔をあけ、搬送用歯付ベルト１１の背面まで貫通する貫通孔を形成することが簡単にできる。そして、この形成された貫通孔に取付ねじを挿入し、搬送用歯付ベルト１１にアタッチメントを取り付ける。そして、任意の有底孔１１ｅを貫通孔とすることにより任意の位置にアタッチメントを取り付けることができる。
【実施例３】
【００３３】
本発明の実施例３の搬送用歯付ベルトについて説明する。図７は本発明の実施例３の搬送用歯付ベルトを示し、図８のＸ−Ｘ線断面図である。図８は図７に示す搬送用歯付ベルトの平面図である。図９は図８のＹ−Ｙ線断面図である。
【００３４】
図７，８，９に示す搬送用歯付ベルト２１は、ゴムまたは熱可塑性樹脂例えばポリウレタン等の可撓性を有する材料で成形加工されて形成される。そして、搬送用歯付ベルト２１には、図７，８に示すように、その内側に幅方向に沿って歯部２１ａと歯底部２１ｂが交互に一定のピッチで形成されている。
【００３５】
また、搬送用歯付ベルト２１には、図９に示すように、内部に例えばアラミド、スチール等の心線２１ｃが長手方向に沿って埋設されている。そして、搬送用歯付ベルト２１には、図９に示すように、心線２１ｃが埋設されていない部分２１ｄが２箇所長手方向に沿って設けられている。
【００３６】
さらに、搬送用歯付ベルト２１には、図７，８，９に示すように、歯底部２１ｂと心線２１ｃが埋設されていない部分２１ｄが交差する部分（この実施例３においては２箇所）に、段付有底孔２１ｅが形成されている。なお、心線２１ｃが埋設されていない部分２１ｄの数は、アタッチメントを取り付ける取付ねじの数によって決められる。
【００３７】
そして、段付有底孔２１ｅは、取付ねじを挿入する貫通孔を形成するための下孔の役割をするもので、搬送用歯付ベルト２１の背面と段付有底孔２１ｅの底部との間の厚みを薄く形成している。このことにより、後述するように貫通孔の形成を容易にしている。また、段付有底孔２１ｅは大径部と小径部から構成され、大径部は取付ねじの頭部を収容する空間を構成している。
【００３８】
上記のような構成を有する搬送用歯付ベルト２１にアタッチメントを取り付けるには、まず、段付有底孔２１ｅの底部にキリ等の簡単な工具で孔をあけ、搬送用歯付ベルト２１の背面まで貫通する貫通孔を形成する。この後は、形成された貫通孔に取付ねじを挿入し、上記実施例１と同様にして、搬送用歯付ベルト２１にアタッチメントを取り付ける。
【００３９】
アタッチメントを取り付けた搬送用歯付ベルト２１も、実施例１の搬送用歯付ベルト１と同様にフランジ付歯付プーリと噛み合った状態で走行する。しかし、段付有底孔２１ｅにより形成された貫通孔に挿入された取付ねじの頭部は、段付有底孔２１ｅの大径部内に収容されており、搬送用歯付ベルト２１の歯底部２１ｂの歯底面より突出していない。そのため、フランジ付歯付プーリの歯部と取付ねじの頭部が干渉するおそれはない。したがって、アタッチメントを取り付けた搬送用歯付ベルト２１は上記逃げ溝を設けていないフランジ付歯付プーリを使用することができる。
【００４０】
上記のような構成を有する搬送用歯付ベルト２１によれば、搬送用歯付ベルト２１の歯底部２１ｂに段付有底孔２１ｅを設けているので、搬送用歯付ベルト２１のユーザが段付有底孔２１ｅの底部にキリ等の簡単な工具で孔をあけ、搬送用歯付ベルト２１の背面まで貫通する貫通孔を形成することが簡単にできる。そして、この形成された貫通孔に取付ねじを挿入し、搬送用歯付ベルト２１にアタッチメントを取り付ける。そして、任意の段付有底孔２１ｅを貫通孔とすることにより任意の位置にアタッチメントを取り付けることができる。また、段付有底孔２１ｅの大径部内に取付ねじの頭部が収容されており、搬送用歯付ベルト２１の歯底部２１ｂの歯底面より突出していない。そのため、フランジ付歯付プーリの歯部と取付ねじの頭部が干渉するおそれはなく、通常のフランジ付歯付プーリを使用することができる。
【００４１】
なお、上記各実施例１，２，３において、心線が埋設されていない部分を有する搬送用歯付ベルトに、取付ねじ用貫通孔、有底孔または段付有底孔のいずれかを設けているが、標準の歯付ベルトにも取付ねじ用貫通孔、有底孔または段付有底孔のいずれかを設けることもできる。
【図面の簡単な説明】
【００４２】
【図１】本発明の実施例１の搬送用歯付ベルトにアタッチメントを取り付けた状態の一部を示す斜視図である。
【図２】図１に示す搬送用歯付ベルトがフランジ付歯付プーリと噛み合う状態を示す図３のＸ−Ｘ線断面図である。
【図３】図２のＹ−Ｙ線断面図である。
【図４】本発明の実施例２の搬送用歯付ベルトを示し、図５のＸ−Ｘ線断面図である。
【図５】図４に示す搬送用歯付ベルトの平面図である。
【図６】図５のＹ−Ｙ線断面図である。
【図７】本発明の実施例３の搬送用歯付ベルトを示し、図８のＸ−Ｘ線断面図である。
【図８】図７に示す搬送用歯付ベルトの平面図である。
【図９】図８のＹ−Ｙ線断面図である。
【符号の説明】
【００４３】
１，１１，２１  搬送用歯付ベルト
１ａ，１１ａ，２１ａ  歯部
１ｂ，１１ｂ，２１ｂ  歯底部
１ｃ，１１ｃ，２１ｃ  心線
１ｄ，１１ｄ，２１ｄ  心線が埋設されていない部分
１ｅ  取付ねじ用貫通孔
１１ｅ  有底孔
２１ｅ  段付有底孔
２  アタッチメント
２ｅ  貫通孔
３  ナット
４  取付ねじ
４ａ  取付ねじの頭部
５  フランジ付歯付プーリ
５ａ  歯部
５ｂ  逃げ溝
５ｆ  フランジ
【図１】
2005075488.tif 000003
【図２】
2005075488.tif 000004
【図３】
2005075488.tif 000005
【図４】
2005075488.tif 000006
【図５】
2005075488.tif 000007
【図６】
2005075488.tif 000008
【図７】
2005075488.tif 000009
【図８】
2005075488.tif 000010
【図９】
2005075488.tif 000011